(57)【要約】【課題】湯切り時に湯の排出路及び湯切り口が内容物に起因して詰まることがなく、スムーズに湯切りが実施できる包装容器を提供することにある。【解決手段】全外周にフランジ部を有する容器本体と、前記フランジ部に嵌合する成形蓋とからなる包装容器であって、該成形蓋が、容器本体側に凹んでいる中央の円弧部から下方に所定形状で延びた先端に同一長さで垂直に延びた上下二ケ所の嵌合部を有する蓋の円弧部の容器本体と反対側の表面に複数本の直線状の押さえ棒部を垂直に設け、さらに外周縁に近接する位置に所定形状の湯切り口用カット線を設けたものからなることを特徴とする。【選択図】図１
2007161277.tif 000002
【特許請求の範囲】
【請求項１】
全外周にフランジ部を有する容器本体と、前記フランジ部に嵌合する成形蓋とからなる包装容器であって、該成形蓋が、容器本体側に凹んでいる中央の円弧部から下方に所定形状で延びた先端に同一長さで垂直に延びた上下二ケ所の嵌合部を有する蓋の円弧部の容器本体と反対側の表面に複数本の直線状の押さえ棒部を垂直に設け、さらに外周縁に近接する位置に所定形状の湯切り口用カット線を設けたものからなることを特徴とする包装容器。
【発明の詳細な説明】
【技術分野】
【０００１】
即席カップ麺、即席焼きそば等の内容物に使用する包装容器に関し、さらに詳しくは、熱湯を注いだ後に湯切り作業を必要とする内容物に使用する包装容器に関するものである。
【背景技術】
【０００２】
熱湯を注いだ後に湯切り作業を必要とする内容物に使用する包装容器としては、円形カップ状やトレー形状など多種多様のものがある。それらに使用される蓋も、プラスチックシートを成形した成形タイプの蓋あるいは単層若しくは多層のフィルムからなる基材層に低温シール性を有するシーラント層を積層した構成のフィルム状の蓋が使用されている。トレー形状の包装容器には、通常、プラスチックシートを成形した成形タイプの蓋で、外周縁に近接する位置に湯切り口を設けたものが使用されているが、例えば、内容物が即席焼きそばの場合、湯を注ぎ入れた後に湯切りをする時に即席焼きそばが湯切り口をふさいでしまって、スムーズに湯切りが実施できないなどの弊害があった。これらの弊害を改善する為に、容器本体の形状や蓋の形状、構造を工夫した包装容器が各種提案されている（例えば、特許文献１、特許文献２参照。）。
【特許文献１】実用新案登録第３０６２７０５号公報
【特許文献２】実用新案登録第３０６８１７９号公報
【発明の開示】
【発明が解決しようとする課題】
【０００３】
本発明の課題は、湯切り時に湯の排出路及び湯切り口が内容物に起因して詰まることがなく、スムーズに湯切りが実施できる包装容器を提供することにある。
【課題を解決するための手段】
【０００４】
本発明の請求項１に係る発明は、全外周にフランジ部を有する容器本体と、前記フランジ部に嵌合する成形蓋とからなる包装容器であって、該成形蓋が、容器本体側に凹んでいる中央の円弧部から下方に所定形状で延びた先端に同一長さで垂直に延びた上下二ケ所の嵌合部を有する蓋の円弧部の容器本体と反対側の表面に複数本の直線状の押さえ棒部を垂直に設け、さらに外周縁に近接する位置に所定形状の湯切り口用カット線を設けたものからなることを特徴とする包装容器である
【発明の効果】
【０００５】
本発明の包装容器は、全外周にフランジ部を有する容器本体と、前記フランジ部に嵌合する成形蓋とからなる包装容器であって、該成形蓋が、容器本体側に凹んでいる中央の円弧部から下方に所定形状で延びた先端に同一長さで垂直に延びた上下二ケ所の嵌合部を有する蓋の円弧部の容器本体と反対側の表面に複数本の直線状の押さえ棒部を垂直に設け、さらに外周縁に近接する位置に所定形状の湯切り口用カット線を設けたものからなっているので、一度取り外した成形蓋を、熱湯を注ぎ入れた後に押さえ棒部面が内容物側になるように使用して、フランジ部に嵌合することにより、湯切り時に内容物が押さえ棒部に引っかかって動かなくなり、湯切り口用カット線から孔設した湯切り口からスムーズに湯切りが実施できる。
【発明を実施するための最良の形態】
【０００６】
本発明の包装容器を、実施の形態に沿って以下に詳細に説明する。図１は本発明の包装
容器の部分断面図であり、包装容器（１）は、全外周にフランジ部（２ａ）を有する容器本体（２）と、前記フランジ部（２ａ）に嵌合する成形蓋（３）とからなっており、成形蓋（３）は、容器本体（２）側に凹んでいる中央の円弧部（４）から下方に所定形状で延びた先端に同一長さで垂直に延びた上下二ケ所の嵌合部（５、６）を有しており、円弧部（４）の容器本体（２）と反対側の表面に直線状の押さえ棒部（７ａ、７ｂ、７ｃ、７ｄ、７ｅ、７ｆ、７ｇ、７ｈ、７ｉ）が垂直に設けられ、さらに外周縁に近接する位置に所定形状の湯切り口用カット線（８）が設けられている。
【０００７】
前記嵌合部（５、６）は成形蓋（３）をいずれの面でもフランジ部（２ａ）に嵌合出来るようにする為に設けており、また、前記押さえ棒部（７ａ、７ｂ、７ｃ、７ｄ、７ｅ、７ｆ、７ｇ、７ｈ、７ｉ）は湯切りする時に充填されている内容物がその押さえ棒部に引っかかり、動かないようにする為に設けている。
【０００８】
前記容器本体（２）及び成形蓋（３）は、プラスチックからなっており、プラスチックの種類としては、例えば、ポリスチレン樹脂、ポリプロピレン樹脂、ポリエステル樹脂などが使用される。容器本体（２）は射出成形法あるいはシート成形法で製造し、成形蓋（３）は射出成形法で製造する。
【０００９】
また、容器本体（２）の形状は、内容物が焼きそばの場合は長方形のトレー形状のものが多く使用されており、内容物の種類によっては円形カップ形状のものからなっている。
【００１０】
前記湯切り口用カット線（８）は、所定形状、例えば、Ｕ字状あるいはＷ字状のものからなっており、成形蓋を貫通している。
【００１１】
本発明の包装容器は、成形蓋の両面に嵌合部を有しており、さらに、片面に内容物の押さえ棒部を複数本有しているので、その押さえ棒部が内容物側になるように嵌合することで、湯切り時に内容物が引っかかって動かなくなり、結果的に湯切りがスムーズにできる特徴を有している。
【００１２】
図２（ａ）〜（ｄ）は本発明の包装容器の一使用例を示す為の説明図であり、図２（ａ）は包装容器に内容物を充填した状態を示す図で、フランジ部（２ａ）を有する容器本体（２）内に内容物（２０）を充填した後に成形蓋（３）の嵌合部（６）をフランジ部（２ａ）に嵌合しており、図２（ｂ）は成形蓋を取り外した状態を示す図で、成形蓋（３）を取り外した後に熱い湯（２１）を注ぎ入れている。図２（ｃ）は成形蓋を面を逆にしてフランジ部に嵌合した状態を示す図で、成形蓋（３）は押さえ棒部（７ａ〜７ｉ）側が内容物（２０）に向き合うように嵌合部（５）をフランジ部（２ａ）に嵌合しており、内容物（２０）が押さえ棒部に引っかかって動かなくなる。図２（ｄ）は包装容器を傾斜させて、湯切り口から湯を外に注ぎ出す状態を示す図であり、容器本体（２）の湯切り口（９）側に熱い湯（２１）の排出路（２２）を有しており、湯切り口用カット線（８）から孔設した湯切り口（９）から湯を注ぎ出す。本発明の包装容器は上記記載のように使用されるので、熱い湯を外に注ぎ出す時に内容物が動かないので、湯の排出路（２２）や湯切り口（９）がふさがれることがなく、スムーズに湯を注ぎ出すことが可能になる。
【図面の簡単な説明】
【００１３】
【図１】本発明の包装容器の一実施形態を示す部分断面図である。
【図２】（ａ）〜（ｄ）は本発明の包装容器の一使用例を示す為の説明図である。
【符号の説明】
【００１４】
１…包装容器
２…容器本体
２ａ…フランジ部
３…成形蓋
４…円弧部
５，６…嵌合部
７ａ，７ｂ，７ｃ，７ｄ，７ｅ，７ｆ，７ｇ，７ｈ，７ｉ…押さえ棒部
８…湯切り口用カット線
９…湯切り口
２０…内容物
２１…湯
２２…湯の排出路
【図１】
2007161277.tif 000003
【図２】
2007161277.tif 000004